(57)【要約】【課題】１個の取付ねじを用いて照明器具を構成する２個の部材を締結する場合において、締結作業を容易にするとともに、２個の部材が取付ねじの周りで回転するのを防止する。【解決手段】２個の半割アーム１９，２０は、互いに噛合するように案内する噛合凸部２６ａと噛合凹部２６ｂとを備える。噛合凸部２６ａと噛合凹部２６ｂとの重複する部位に貫通孔２７が形成され、貫通孔２７に挿通される取付ねじ２１を器具本体に螺合させることにより、両半割アーム１９，２０が締結される。噛合凸部２６ａ及び噛合凹部２６ｂは、貫通孔２７の周方向において当接することにより、取付ねじ２１の周りで回転するのを防止する。【選択図】図１
2009123493.tif 000002
【特許請求の範囲】
【請求項１】
棹状に形成された器具本体と、器具本体の長手方向の両端部にそれぞれ設けられ直管型ランプを保持するランプソケットをそれぞれ備える一対の保持アームとからなり、各保持アームは、器具本体の中にそれぞれ一部が挿入される一対の半割アームを備え、両半割アームは、器具本体内で一部が重複し重複部位に貫設される貫通孔に挿通されると共に器具本体に螺合する取付ねじで結合され、かつ貫通孔同士が重複する部位に案内すると共に取付ねじの周りでの回転止めを行うように凹凸係合するガイド部を器具本体内に挿入される部位に備えることを特徴とする照明器具。
【請求項２】
前記両半割アームは、前記ガイド部として、前記貫通孔の口軸方向において相欠き形状であって互いに噛合する噛合凸部及び噛合凹部をそれぞれ備え、噛合凸部と噛合凹部とが噛合した状態において、噛合凹部の周壁の一部が貫通孔を中心とする回転方向において噛合凸部と重複し、かつ両半割アームにおいて噛合凸部の突設されている面同士が当接することを特徴とする請求項１記載の照明器具。
【請求項３】
前記ガイド部として、両半割アームの各噛合凸部の対向面の一方に突設されたガイド突起と、他方に凹設されガイド突起と係合するガイド溝とを備え、ガイド溝は噛合凸部を噛合凹部に挿入する方向に延長されていることを特徴とする請求項２記載の照明器具。
【請求項４】
前記両半割アームは、それぞれ導電性材料の母材の表面が絶縁被膜で覆われてなり、前記取付ねじを前記貫通孔に挿通して他部材に螺合させる際に前記ガイド部同士が擦れ合うことにより絶縁被膜が破れ、両半割アームの母材同士が電気的に接続されることを特徴とする請求項１乃至請求項３の何れか１項に記載の照明器具。
【発明の詳細な説明】
【技術分野】
【０００１】
本発明は、照明器具に関するものである。
【背景技術】
【０００２】
従来より、照明器具などにあっては、一対の部材を取付ねじで結合する場合がある。２個の部材を取付ねじにより結合するにあたっては、両部材の一部を重ね合わせてねじ止めするか、あるいは両部材とは別の連結部材を用い各部材をそれぞれ連結部材にねじ止めしている。
【０００３】
２個の部材を１本の取付ねじで締結すると、両部材が互いに回転するから、通常は２本の取付ねじを用いることにより両部材が互いに回転しないように結合している。しかしながら、２本の取付ねじを用いると２箇所の締結作業が必要になり、作業に手間がかかるという問題が生じる。
【０００４】
連結部材を用いて２部材を結合する技術としては、図８に示すように、それぞれ断面コ字状に形成された２個の部材３０，３１に対して固定板（連結部材）３２の各一端部を挿入することにより、固定板３２に対する各部材３０，３１の回転を禁止した状態で、各部材３０，３１を通して固定板３２に取付ねじ２１を螺合させる構成が提案されている（例えば、特許文献１参照）。
【特許文献１】特開２００３−２９７１１３号広報
【発明の開示】
【発明が解決しようとする課題】
【０００５】
特許文献１に記載の技術は、２個の部材３１，３２を締結するために別途に固定板３２が必要である上に、２本の取付ねじ２１を必要としているから、部品点数が多い上にねじ締め作業に手間がかかるという問題がある。
【０００６】
本発明は上記事由に鑑みて為されたものであり、その目的は、２個の部材を１本の取付ねじで結合することを可能にし、部品点数の増加を伴わずかつ締結作業の作業性を向上させた締結構造を提供することにある。
【課題を解決するための手段】
【０００７】
請求項１の発明は、棹状に形成された器具本体と、器具本体の長手方向の両端部にそれぞれ設けられ直管型ランプを保持するランプソケットをそれぞれ備える一対の保持アームとからなり、各保持アームは、器具本体の中にそれぞれ一部が挿入される一対の半割アームを備え、両半割アームは、器具本体内で一部が重複し重複部位に貫設される貫通孔に挿通されると共に器具本体に螺合する取付ねじで結合され、かつ貫通孔同士が重複する部位に案内すると共に取付ねじの周りでの回転止めを行うように凹凸係合するガイド部を器具本体内に挿入される部位に備えることを特徴とする。
【０００８】
この構成によれば、ガイド部により、貫通孔同士が重なる位置に両半割アームが誘導され、かつ取付ねじの周りでの回転止めがなされるので、両半割アームを結合するにあたって取付ねじを挿入する位置への位置合わせが容易になり、かつ１本の取付ねじで両半割アームが互いに回転しないように結合することができる。その結果、締結の作業にあたり２本のねじを用いる必要がないから作業性が向上する。
請求項２の発明では、請求項１の発明において、前記両半割アームは、前記ガイド部として、前記貫通孔の口軸方向において相欠き形状であって互いに噛合する噛合凸部及び噛合凹部をそれぞれ備え、噛合凸部と噛合凹部とが噛合した状態において、噛合凹部の周壁の一部が貫通孔を中心とする回転方向において噛合凸部と重複し、かつ両半割アームにおいて噛合凸部の突設されている面同士が当接することを特徴とする。
【０００９】
この構成によれば、噛合凸部と噛合凹所とが互いに噛合する位置に両半割アームが案内されることにより、貫通孔の位置合わせが行われると同時に、両半割アームが互いに回転するのが防止された状態で取付ねじの締結作業を行うことができる。
請求項３の発明では、請求項２の発明において、前記ガイド部として、両半割アームの各噛合凸部の対向面の一方に突設されたガイド突起と、他方に凹設されガイド突起と係合するガイド溝とを備え、ガイド溝は噛合凸部を噛合凹部に挿入する方向に延長されていることを特徴とする。
【００１０】
この構成によれば、ガイド溝にガイド突起を係合させることにより、取付ねじを締結する前に貫通孔の位置合わせを正確に行うことができる。しかも、ガイド溝にガイド突起が係合していることにより、両半割アームの移動方向が規制されるから、作業性の一層の向上が期待できる。
【００１１】
請求項４の発明では、請求項１乃至請求項３の何れかの発明において、前記両半割アームは、それぞれ導電性材料の母材の表面が絶縁被膜で覆われてなり、前記取付ねじを前記貫通孔に挿通して他部材に螺合させる際に前記ガイド部同士が擦れ合うことにより絶縁被膜が破れ、両半割アームの母材同士が電気的に接続されることを特徴とする。
【００１２】
この構成によれば、両半割アームに取付ねじで締結する際に両半割アームを電気的に接続することができるから、フレーム接地などのために両半割アームの母材を同電位にする必要があるときに、別途に絶縁被膜の除去作業を行う必要が不要になり、作業性の向上になる。
【発明の効果】
【００１３】
本発明は、一対の半割アームにガイド部を設け、ガイド部により両半割アームを貫通孔同士が重なる位置に誘導し、かつガイド部により取付ねじの周りでの回転止めを行うので、判割アーム同士を結合するにあたって取付ねじを挿入する位置への位置合わせが容易になり、かつ１本の取付ねじで両半割アームが互いに回転しないように結合することができ、結果的に、締結の作業にあたり２本のねじを用いる必要がないから作業性が向上するという利点がある。
【発明を実施するための最良の形態】
【００１４】
本実施形態の照明器具は、図６に示すようにそれぞれ天井から吊下されるように長手方向の両端部が支持される棹状の器具本体１を長手方向に沿って並設し、各器具本体１同士を連結装置２で連結することによって構成される。以下では、照明器具を天井から吊下した状態での上下方向（図６（ａ）の上下方向）を上下方向として説明する。
【００１５】
器具本体１は、それぞれ上方に開放された断面コ字状の本体カバー３と、本体カバー３の上面に覆着される本体蓋板４とを備えた棹状に形成される。本体カバー３と本体蓋板４とで囲まれた空間には、点灯装置（図示せず）や端子台（図示せず）が収容される。器具本体１の長手方向の両端部には、器具本体１の幅方向の両側に突出する形の保持アーム８が取り付けられ、保持アーム８の一部は器具本体１の中に挿入されるとともに、器具本体１の内部において器具本体１に結合される（この構成は後述する）。
【００１６】
保持アーム８の下端部は器具本体１よりも下方に位置し、器具本体１の幅方向の両側において保持アーム８には、蛍光ランプである直管型ランプ６の各一端部を保持するランプソケット（図示せず）を設けてある。さらに、保持アーム８の下端部には、各直管型ランプ８ごとに放射された光の配光を制御するとともに直管型ランプ８の直視を防止するためのルーバパネル１４が保持される。ルーバパネル１４は、器具本体１の幅方向において互いに離間して配置される。
【００１７】
器具本体１は、図７（ａ）に示すように本体カバー３の内側となる位置であって長手方向の各端部に、長手方向の断面が下方に開放されたコ字状となるフレーム９をそれぞれ具備しており、点灯装置及び端子台が搭載されたベース（図示せず）が両フレーム９間に架設されるとともに、本体カバー３及び本体蓋板４が両フレーム９間に架設される。ここに、フレーム９の側板の下端部は互いに近づく向きに折曲されて押圧板１０を構成する。本体カバー３は、長手方向において細長い矩形状の本体主板１１と、本体主板１１における横方向の両端縁から本体主板１１の全長に亘って上方に突出する一対の本体側板１２とを連続一体に有し、縦方向に直交する断面がコ字状に形成されている。ここに、各本体側板１２における縦方向の両端部には、それぞれアーム８の一部が挿通される部材用孔１３（図６（ｂ）参照）が厚み方向に貫設されている。
【００１８】
保持アーム８は、器具本体１の長手方向に直交する断面が上方に開放された断面コ字状に形成され直管型ランプ６及びランプソケットを下面側から覆うように配置されるルーバパネル１４を有し、ルーバパネル１４に開口した矩形状の窓孔１５を通して直管型ランプ６の光を下方に取り出すようにしてある。ルーバパネル１４上には、窓孔１５から取り出される照射光の配光を制御するとともに窓孔１５を通して下方から直管型ランプ６が直視されることを防止するルーバ１６が配設されており、更に、器具本体１の幅方向におけるルーバパネル１４の外側の一端部から器具本体１に向かって延長された形の反射板１７が配設されている。
【００１９】
上記構成の器具本体１は、各本体カバー３の長手方向の端面同士が所定の隙間を空けて突き合わされるように長手方向に沿って一直線上に複数配列され、これら複数の器具本体１は、長手方向の端部同士が連結装置２によって互いに連結されることにより一体化される。このとき、隣接する器具本体１では、ルーバパネル１４における縦方向の端部同士を互いに重ねることによって隙間なく並設される。
【００２０】
また、本実施形態では、器具本体１を支持するための機能を連結装置２に付与している。すなわち、連結装置２には天井から吊下された一対のワイヤ１８の先端部（下端部）が結合され、これにより連結装置２自体が天井から吊り下げられることとなる。したがって、器具本体１においては縦方向の各端部がそれぞれ連結部材２を介してワイヤ１８によって天井から吊下される。なお、器具本体１の長手方向に並ぶ複数の器具本体１のうちの両端に位置する器具本体１においては、長手方向における連結装置２と反対側の端部にエンドキャップ（図示せず）が装着され、当該エンドキャップにワイヤ１８の先端部が結合されることにより天井から吊り下げられる。
【００２１】
ところで、上述した構成の照明器具における保持アーム８は、図１及び図２に示すように、２個の半割アーム１９，２０により構成される。各半割アーム１９，２０は、取付ねじ２１を用いて器具本体１に締結される（器具本体１を構成するフレーム９に取付ねじ２１が螺合する）。以下では、半割アーム１９，２０を器具本体１に締結する構造について説明する。
【００２２】
各半割アーム１９，２０は、金属からなる導電性材料で形成される母材の表面を全面に亘って絶縁被膜で覆ってある。母材には、鉄やアルミニウムが用いられ、絶縁被膜はアクリル樹脂やメラミン樹脂の塗装により形成してある。
【００２３】
各半割アーム１９，２０は、図４、図５に示すように、側面が直角三角形状である基体部２２と、基体部２２の上部において器具本体１に結合される部位に突設された嵌入凸部２３とを備える。嵌入凸部２３は、本体カバー３の側面に開口する部材用孔１３に挿入される。また、基体部２２の下端部には、ルーバパネル１４を取り付けるためのパネル受け片２４が水平方向に延設される。基体部２２において直管型ランプ６が取り付けられる側にはランプソケット（図示せず）を固定するための切欠部２５が形成される。
【００２４】
ところで、各半割アーム１９，２０に設けた嵌入凸部２３の先端部には、図３に示すように、相欠き形状で互いに凹凸係合するガイド部２６が形成される。すなわち、嵌入凸部２３の先端部には、半割アーム１９，２０の厚み方向（器具本体１の長手方向）の半分に噛合凸部２６ａが突設され、残り半分には噛合凸部２６ａが挿入される噛合凹部２６ｂが形成される。噛合凹部２６ｂは、噛合凸部２６ａの上面に重複する周壁と、噛合凸部２６ａの側面に重複する周壁とを有している。また、嵌入凸部２３の先端面であって噛合凸部２６ａが突設された面は、上下方向に沿ったストップ面２６ｃを形成する。なお、嵌入凸部２３の下端縁には部材用孔１３の開口下縁が係入される切欠部２３ａが形成されている。
【００２５】
各半割アーム１９，２０の噛合凸部２６ａと噛合凹部２６ｂとを互いに噛合させた状態では、噛合凸部２６ａの側面と噛合凹部２６ｂの周壁とが重複する。この重複部位には貫通孔２７が貫設されている。各半割アーム１９，２０に形成した貫通孔２７は、噛合凸部２６ａと噛合凹部２６ｂとが噛合した状態において互いに重なり合う位置に形成してある。すなわち、貫通孔２７が重複した状態において、噛合凹部２６ｂの周壁の一部が貫通孔２７を中心とする回転方向において噛合凸部２６ａの上面と重複し、かつ両半割アーム１９，２０においてストップ面２６ｃ同士が当接する（図２参照）。したがって、ガイド部２６が噛合した状態では、貫通孔２７の周りにおいて両半割アーム１９，２０は互いに回転することが禁止される。
【００２６】
噛合凸部２６ａの上面は先端部に向かって下り傾斜する傾斜面をなし、また噛合凹部２６ｂの周壁のうち噛合凸部２６ａの上面に対向する一面は奧に向かって下り傾斜する傾斜面をなしている。したがって、噛合凸部２６ａを噛合凹部２６ｂに噛合させるにあたっては、これらの傾斜面により上下方向の位置が規制され、両半割アーム１９，２０に設けた貫通孔２７の位置合わせがなされる。
【００２７】
さらに、各半割アーム１９，２０における噛合凸部２６ａの対向面の一方（図示例では半割アーム１９）には、水平方向（器具本体１の幅方向）に延長されたガイド突起２６ｄが突設され、他方には水平方向に延長されるとともにガイド突起２６ｄと係合するガイド溝２６ｅが凹設される。すなわち、ガイド突起２６ｄとガイド溝２６ｅとは、噛合凸部２６ａを噛合凹部２６ｂに挿入する方向に延長されている。ガイド溝２６ｅの一端部は噛合凸部２６ａの先端面に達しており、ガイド突起２６ｄをガイド溝２６ｅに係合させた状態において、ガイド突起２６ｄをガイド溝２６ｅに沿ってスライド移動させることが可能になっている。
したがって、噛合凸部２６ａを噛合凹部２６ｄに挿入するにあたり、ガイド突起２６ｄをガイド溝２６ｅに係合させることで、両半割アーム１９，２０の移動方向が規制され、両半割アーム１９，２０の位置合わせがより容易になる。また、噛合凸部２６ａと噛合凹部２６ｂとが噛合した状態において、ガイド突起２６ｄとガイド溝２６ｅとが貫通孔２７の周りでの回転止めとしても機能する。
【００２８】
次に、半割アーム１９，２０を器具本体１に締結する手順について説明する。まず、各半割アーム１９，２０に設けた嵌入凸部２３を、それぞれ器具本体１の側面に設けた部材用孔１３に挿入する。このとき、器具本体１における部材用孔１３の開口下縁を一方に半割アーム２０の切欠部２３ａに係合させることにより、一方の半割アーム２０は器具本体１に仮固定される。
ここで、両半割アーム１９，２０の嵌入凸部２３に設けたガイド突起２６ｄとガイド溝２６ｅとの位置合わせを行い、ガイド突起２６ｄをガイド溝２６ｅに係合させれば（係合したときに手に感触が得られる）、半割アーム１９を半割アーム２０に対して所定位置に誘導することができる。したがって、噛合凸部２６ａと噛合凹部２６ｂとが噛合し、両半割アーム１９，２０に設けた貫通孔２７が重なり合う。また、半割アーム１９の切欠部２３ａに部材用孔１３の開口下縁を係合させることができる。この位置では貫通孔２７が重なり合っており、かつ各半割アーム１９，２０が器具本体１に対して規定された位置に位置するから、両半割アーム１９，２０の貫通孔２７を通して器具本体１に設けたねじ受け部に取付ねじ２１を螺合させることにより、両半割アーム１９，２０を締結させることができる。
【００２９】
そして、両半割アーム１９，２０は、噛合凸部２６ａ，２６ｂとが噛合し、かつストップ面２６ｃが当接し、さらにはガイド突起２６ｄがガイド溝２６ｅに係合していることによって、互いに回転止めがなされ、１本の取付ねじ２１を用いるだけで両半割アーム１９，２０が互いに回転しないように器具本体１に締結させることができる。なお、器具本体１に対しては、部材用孔１３に嵌入突起２３を挿入していることにより、保持アーム８の器具本体１に対する移動が規制される。
【００３０】
ところで、取付ねじ２１を器具本体１に螺合させる際に、ねじ締め力によって、両半割アーム１９，２０は互いの距離を小さくするから、両半割アーム１９，２０のガイド部２６が擦れ合い、半割アーム１９，２０の表面に形成されている絶縁被膜の一部を剥がすことになる。その結果、各半割アーム１９，２０の母材同士を電気的に接続することが可能になる。すなわち、フレームアースなどのために両半割アーム１９，２０を電気的に接続するにあたって、半割アーム１９，２０の絶縁被膜を剥がすための別途の作業が不要になる。なお、ガイド部２６同士が互いの表面に形成された絶縁被膜を確実に剥がすようにするために、例えば、ガイド突起２６ｄとガイド溝２６ｅとのいずれか一方又は双方に先端が鋭利になった突起などを形成してもよい。
【００３１】
上述したように、２個の部材である半割アーム１９，２０を器具本体１に締結することにより保持アーム８を形成し、かつ取付ねじ２１を用いる締結部位を器具本体１の内部としているから、取付ねじ２１は外部に露出せず、照明器具としての外観が良くなる。しかも、器具本体１の中で取付ねじ２１を締結する作業を伴うものの、両半割アーム１９，２０の貫通孔２７の位置合わせが容易であるから、締結作業が容易になる。
【図面の簡単な説明】
【００３２】
【図１】本発明の実施形態を示す要部分解斜視図である。
【図２】同上の要部斜視図である。
【図３】同上の要部を拡大した分解斜視図である。
【図４】同上に用いる一方の半割アームを示す斜視図である。
【図５】同上に用いる他方の半割アームを示す斜視図である。
【図６】（ａ）は同上の全体構成を示す下面側の斜視図、（ｂ）は同上の全体構成を示す上面側の斜視図である。
【図７】（ａ）は同上に用いる連結装置による連結前の状態を示す斜視図、（ｂ）は同上に用いる連結装置による連結後の状態を示す斜視図である。
【図８】従来例を示す分解斜視図である。
【符号の説明】
【００３３】
１  器具本体
６  直管型ランプ
１９  半割アーム
２０  半割アーム
２１  取付ねじ
２６  ガイド部
２６ａ  噛合凸部
２６ｂ  噛合凹部
２６ｃ  ストップ面
２６ｄ  ガイド突起
２６ｅ  ガイド溝
２７  貫通孔
【図１】
2009123493.tif 000003
【図２】
2009123493.tif 000004
【図３】
2009123493.tif 000005
【図４】
2009123493.tif 000006
【図５】
2009123493.tif 000007
【図６】
2009123493.tif 000008
【図７】
2009123493.tif 000009
【図８】
2009123493.tif 000010